(57)【要約】【課題】            正特性サーミスタが安価で小型であり、自己発熱によってインピーダンスが増加することに着目し、誤結線等からモータ巻線の焼損を防ぐモータを得る。【解決手段】        出力を多段階に調整するための強運転用タップ端子４と弱運転用タップ端子５をモータ巻線６から引き出したモータ２について、そのモータ巻線６に直列に、発熱によってインピーダンスの増加する正特性サーミスタ７を挿入する。また、その正特性サーミスタ７をモータ２内に内蔵する。【選択図】          図２
2005057856.tif 000002
【特許請求の範囲】
【請求項１】
出力を多段階に調整するためのタップ端子をモータ巻線から引き出したモータであって、そのモータ巻線に直列に、発熱によってインピーダンスの増加する正特性サーミスタを挿入したモータ。
【請求項２】
請求項１に記載のモータであって、正特性サーミスタをモータ内に内蔵したモータ。
【請求項３】
請求項１に記載のモータであって、正特性サーミスタをモータの外部に設けたモータ。
【請求項４】
請求項１〜請求項３までのいずれかに記載のモータで羽根車を駆動させる構成の送風機。
【発明の詳細な説明】
【技術分野】
【０００１】
本発明は、モータ巻線のタップ端子の切換えにより出力を多段階に切換えることができるモータ及びこうしたモータで駆動する送風機に関するものである。
【背景技術】
【０００２】
誤結線による過電流から電装品が損傷するのを防ぐ誤結線保護装置がある。タップ端子切換えにより出力を多段階に切換えることができるモータの誤結線保護装置としては、これはモータ巻線のタップ端子をリレーで切換わるようにし、強弱の切換えはリレーのコイルに通電するかどうかで行うようにしている。従って、強タップ端子と弱タップ端子との双方に同時に通電されることはない。電源を誤って強タップ端子と弱タップ端子間に接続してもリレーコイルに通電されるだけで、インピーダンスの低い強タップ端子と弱タップ端子間に電流は流れないので、モータ巻線の焼損は防止される。しかし、この方法は、モータの負荷容量に合わせたリレーが必要で、部品代が余分に掛かり、リレーの設置スペースも必要である。また、定格電圧が１００Ｖのモータに誤って２００Ｖが印加されたときには、リレーによっても定格以上の電流がモータに流れてしまい、モータ巻線が焼損してしまう。
【０００３】
換気扇に関するもので、三本の接続端子内で、一本の電源端子とダンパ駆動機構を電源端子に接続するリレーとの間に、正特性サーミスタを挿入する特許文献１に開示されている技術もある。
【０００４】
【特許文献１】特開２０００−１３９８８号公報
【発明の開示】
【発明が解決しようとする課題】
【０００５】
正特性サーミスタが安価で小型で、発熱によってインピーダンスが増加することに着目した誤結線保護装置は、電気的に接続される本体と、これに連動する連動体との電源接続について連動体やリレー等の誤結線保護に有効である。しかしながら、この技術をモータ巻線の誤結線による焼損から保護する目的にそのまま適用することは、タップ端子切換えにより出力を多段階に切換えるモータに関しては難しい。
【０００６】
本発明の課題は、正特性サーミスタの温度―抵抗特性に着目した誤結線保護機能を備えたモータを得ることであり、低コストで小型化の可能な誤結線保護機能を備えたモータを得ることであり、そのモータを使った送風機を得ることである。
【課題を解決するための手段】
【０００７】
上記課題を達成するために本発明は、出力を多段階に調整するためのタップ端子をモータ巻線から引き出したモータについて、そのモータ巻線に直列に、発熱によってインピーダンスの増加する正特性サーミスタを挿入する手段を採用する。
【０００８】
上記課題を達成するために他の発明は、出力を多段階に調整するためのタップ端子をモータ巻線から引き出し、そのモータ巻線に直列に、発熱によってインピーダンスの増加する正特性サーミスタを挿入したモータで羽根車を駆動させる手段を採用する。
【発明の効果】
【０００９】
上記手段を採用することにより、接続箇所を間違えて電源と接続したり、定格以上の過大電流が流れても電流の流れる経路にある正特性サーミスタが発熱してその抵抗値が上昇し、モータ巻線が損傷しないような電流を流すことになり、誤結線等からモータを保護することができる。
【発明を実施するための最良の形態】
【００１０】
出力を強弱二段階に調整するための強運転用タップ端子と弱運転用タップ端子をモータ巻線から引き出したモータである。モータ巻線に直列に、強運転用タップ端子側に発熱によってインピーダンスの増加する正特性サーミスタを挿入する。正特性サーミスタは、モータの外殻内に収納し、コンパクト化を図る。モータには強運転用タップ端子と弱運転用タップ端子と共通端子があり、切換えスイッチを介して電源に接続する。正規の接続は、強運転用タップ端子と弱運転用タップ端子を切換えスイッチの各接点に接続し、切換えスイッチの共通接点を、電源を介して共通端子に接続する。これにより、切換えスイッチを切換えることによりモータは、強運転し、或いは弱運転し、中立位置では停止する。
【００１１】
モータが定格電圧１００Ｖであって、誤って２００Ｖを印加してしまった場合、過大電流により正特性サーミスタが自己発熱し、ただちにその抵抗値が上がってモータ巻線に流れる電流を減少させるのでモータ巻線の異常発熱や焼損は免れ得る。
【００１２】
また、共通端子を切換えスイッチの強運転用の接点に接続し、強運転用のタップ端子を電源を介して切換えスイッチの共通接点に接続するような誤結線があった場合、強運転用タップ端子と共通端子間のインピーダンスや、弱運転用タップ端子と共通端子間のインピーダンスに比べ、強運転用タップ端子と弱運転用タップ端子間のインピーダンスはかなり低いものであるため、過大電流が流れる。この過大電流により正特性サーミスタが自己発熱し、ただちにその抵抗値が上がってモータ巻線に流れる電流を減少させるのでモータ巻線の異常発熱や焼損は免れ得る。このように、このモータには誤結線保護のためのコストの高いリレーが不用で、その設置スペースも不用であり、小型化が可能である。
【００１３】
実施の形態１．
図１は本実施の形態の送風機としての換気扇を示す側断面図であり、図２はそのモータの回路を結線状態で示す回路構成図である。換気扇１は、モータ２の回転軸に装着された羽根車３によって室内の空気を吸込み、室外へ排気する。モータ２は、タップ端子の切換えにより出力を強弱二段階に切換えることができ、これにより処理風量も二段階に切換えることができる。
【００１４】
モータ２は、強運転用タップ端子４と弱運転用タップ端子５がモータ巻線６から引き出されている。モータ巻線６に直列に、強運転用タップ端子４側に発熱によってインピーダンスの増加する正特性サーミスタ７が挿入されている。正特性サーミスタ７は、モータ２の外殻内に収納され、コンパクト化が図られている。モータ２には強運転用タップ端子４と弱運転用タップ端子５と共通端子８とがあり、切換えスイッチ９を介して電源１０に接続される。強運転用タップ端子４と弱運転用タップ端子５は切換えスイッチ９の各接点に接続され、切換えスイッチ９の共通接点は、電源１０を介して共通端子８に接続される。これにより、切換えスイッチ９を切換えることによりモータ２は、強運転し、或いは弱運転し、中立位置では停止する。
【００１５】
モータ２が定格電圧１００Ｖであって、誤って２００Ｖを印加してしまった場合、過大電流により正特性サーミスタ７が自己発熱し、ただちにその抵抗値が上がってモータ巻線６に流れる電流を減少させるのでモータ巻線６の異常発熱や焼損が防止される。
【００１６】
また、共通端子８を切換えスイッチ９の強運転用の接点に接続し、強運転用タップ端子４を電源１０を介して切換えスイッチ９の共通接点に接続するといった図３に示すような誤結線があった場合、強運転用タップ端子４と共通端子８間のインピーダンスや、弱運転用タップ端子５と共通端子８間のインピーダンスに比べ、強運転用タップ端子４と弱運転用タップ端子５間のインピーダンスはかなり低いものであるため、過大電流が流れる。この過大電流によっても正特性サーミスタ７が自己発熱し、ただちにその抵抗値が上がってモータ巻線６に流れる電流を減少させるのでモータ巻線６の異常発熱や焼損は防止される。このように、このモータ２では誤結線保護のためのコストの高いリレーが不用で、その設置スペースも不用であり、小型化、低コスト化が可能である。
【００１７】
なお、正特性サーミスタ７は、モータ巻線６に直列に挿入すれば良く、弱運転用タップ端子５側に設けても良い。また、多段階の出力調整が可能なモータにも適用でき、正特性サーミスタ７をモータ２の外部に設け、発熱の有無で誤結線かどうかを調べることができるようにしても良い。
【図面の簡単な説明】
【００１８】
【図１】換気扇を示した側断面図である。（実施の形態１）
【図２】モータの回路構成を示した回路構成図である。（実施の形態１）
【図３】誤結線状態を示したモータの回路構成図である。
【符号の説明】
【００１９】
２  モータ、  ３  羽根車、  ４  強運転用タップ端子、  ５  弱運転用タップ端子、  ６  モータ巻線、  ７  正特性サーミスタ、  ９  切換えスイッチ、  １０  電源。
【図１】
2005057856.tif 000003
【図２】
2005057856.tif 000004
【図３】
2005057856.tif 000005